【手続補正書】
【提出日】平成26年6月20日(2014.6.20)
【手続補正１】
【補正対象書類名】特許請求の範囲
【補正対象項目名】全文
【補正方法】変更
【補正の内容】
【特許請求の範囲】
【請求項１】
同一画面内の複数の領域にそれぞれ画像を表示する表示制御手段と、
ユーザからの操作に応じて、前記表示制御手段によって表示された画像に対して所定の処理を施す処理手段と、
前記複数の領域に同一の画像が表示されている場合に、前記複数の領域に異なる画像が表示されている場合とは異なる通知であって、それぞれの画像が同一であることを示す通知を行う通知手段と、を有することを特徴とする表示制御装置。
【請求項２】
前記複数の領域の少なくとも一方に表示された画像を他の画像に切り替える切替手段を更に有することを特徴とする請求項１に記載の表示制御装置。
【請求項３】
前記複数の領域の少なくとも一方において、表示された画像を当該領域内で拡大表示する拡大表示手段を更に有することを特徴とする請求項２に記載の表示制御装置。
【請求項４】
前記拡大表示された画像が表示された領域において、表示された画像が他の画像に切り替えられると、前記拡大表示手段は、切替前に拡大表示していた画像に適用していた拡大率と拡大位置を、切替後の画像にも適用して拡大表示するように制御することを特徴とする請求項３に記載の表示制御装置。
【請求項５】
前記所定の処理は、表示された画像のファイルを記録媒体から消去する処理であることを特徴とする請求項１乃至４のいずれか１項に記載の表示制御装置。
【請求項６】
前記表示制御手段は、前記同一画面内の２つの領域にそれぞれ画像を表示する２画像表示モードと、同一画面内の４つの領域にそれぞれ画像を表示する４画像表示モードとを有することを特徴とする請求項１乃至５のいずれか１項に記載の表示制御装置。
【請求項７】
前記通知手段は、同一の画像が表示されているそれぞれの領域に、同一の画像であることを示すアイコンを表示することを特徴とする請求項１乃至６のいずれか１項に記載の表示制御装置。
【請求項８】
前記通知手段は、同一画面内のそれぞれの領域に同一の画像が表示されている場合、前記ユーザの操作が一方の領域に表示されている画像に対して前記所定の処理を施す操作である場合、他方の領域に表示されている画像にも同じ処理が施されることを示すアイコンを表示する。ことを特徴とする請求項１乃至７のいずれか１項に記載の表示制御装置。
【請求項９】
前記通知手段は、前記ユーザの操作が一方の領域に表示されている画像を消去する操作である場合、他方の領域に表示されている画像も同一であるため同時に消去されることを通知するダイアログを表示することを特徴とする請求項１乃至８のいずれか１項に記載の表示制御装置。
【請求項１０】
同一画面内のそれぞれの領域に表示されている画像のファイル名を比較することでそれぞれの領域に表示されている画像が同一の画像であるか否かを判定する判定手段を更に有することを特徴とする請求項１乃至９のいずれか１項に記載の表示制御装置。
【請求項１１】
前記表示制御装置は、撮像手段を有する撮像装置であって、前記表示制御手段は、当該撮像装置の背面に備えられた表示手段に表示を行うように制御することを特徴とする請求項１乃至１０のいずれか１項に記載の表示制御装置。
【請求項１２】
同一画面内の複数の領域にそれぞれ画像を表示する表示制御工程と、
ユーザからの操作に応じて、前記表示制御工程によって表示された画像に対して所定の処理を施す処理工程と、
前記複数の領域に同一の画像が表示されている場合に、前記複数の領域に異なる画像が表示されている場合とは異なる通知であって、それぞれの画像が同一であることを示す通知を行う通知工程と、を有することを特徴とする表示制御装置の表示制御方法。
【請求項１３】
コンピュータを、請求項１乃至１１のいずれか１項に記載の表示制御装置の各手段として機能させるためのプログラム。
【請求項１４】
コンピュータを、請求項１乃至１１のいずれか１項に記載の表示制御装置の各手段として機能させるためのプログラムを記憶したコンピュータによる読み取りが可能な記憶媒体。
【手続補正２】
【補正対象書類名】明細書
【補正対象項目名】０００６
【補正方法】変更
【補正の内容】
【０００６】
上記課題を解決し、目的を達成するために、本発明の表示制御装置は、同一画面内の複数の領域にそれぞれ画像を表示する表示制御手段と、ユーザからの操作に応じて、前記表示制御手段によって表示された画像に対して所定の処理を施す処理手段と、前記複数の領域に同一の画像が表示されている場合に、前記複数の領域に異なる画像が表示されている場合とは異なる通知であって、それぞれの画像が同一であることを示す通知を行う通知手段と、を有する。
【手続補正３】
【補正対象書類名】明細書
【補正対象項目名】００１８
【補正方法】変更
【補正の内容】
【００１８】
撮像素子１２０は、一般的にＣＣＤやＣＭＯＳなどからなるイメージセンサであり、レンズユニット１５０を通して撮像素子１２０上に結像された被写体像を光電変換して電気信号として取り込む。
【手続補正４】
【補正対象書類名】明細書
【補正対象項目名】００４９
【補正方法】変更
【補正の内容】
【００４９】
図４において、Ｓ４０１では、マイクロコンピュータ１４０は、画像処理回路１２３により、メモリコントローラ１２７を介して、バッファメモリ１２６や記録媒体１２８から取り込んだ画像を処理し、液晶駆動回路１２４を介して液晶表示部１２５に表示する。
【手続補正５】
【補正対象書類名】明細書
【補正対象項目名】００５１
【補正方法】変更
【補正の内容】
【００５１】
Ｓ４０３では、マイクロコンピュータ１４０は、シングル／マルチ切り替えボタン２１０の操作に応じて、シングル表示（全画面表示）かマルチ表示に切り替える。例えば、Ｓ４０２の判定の前にシングル表示（全画面表示）を行っていた場合はマルチ表示を行い、マルチ表示を行っていた場合はシングル表示に切り替える。また、切り替えた後の表示状態（シングル表示中であるかマルチ表示中であるか）の情報を揮発性メモリ１３９に記録する。シングル表示での全画面表示では、画像の縦方向のサイズを液晶表示部１２５の表示領域の縦方向のサイズと一致させたサイズと、画像の横方向のサイズを液晶表示部の表示領域の横方向のサイズと一致させたサイズのうち、大きい方のサイズで画像を表示する。すなわち、画像の全体が液晶表示部１２５の表示領域に収まる最大のサイズで表示する。この倍率を、以下、等倍と称する。
【手続補正６】
【補正対象書類名】明細書
【補正対象項目名】００５３
【補正方法】変更
【補正の内容】
【００５３】
Ｓ４０５では、マイクロコンピュータ１４０は、ジャンプ画像送りを行う。ジャンプ画像送りとは、メイン電子ダイヤル２０２の１クリック分の回転操作に応じて、現在の画像から、画像送りをする画像の並び順（例えば、ファイル番号順）で予め定められたジャンプ枚数分先の画像を表示する処理である。ジャンプ画像送りでは、現在の画像とジャンプ枚数分先の画像との間の画像は飛ばされるので表示されない。以降、現在の画像とは、シングル表示においては液晶表示部１２５に現在表示されている画像であり、マルチ表示においては液晶表示部１２５に表示された複数の画像のうち、選択枠などで現在選択されている画像であるものとする。ジャンプ枚数は１０枚や１００枚などの枚数からユーザが選択したものが予め設定されているものとする。例えば、ファイル番号０００１から００５０までの隙間ない５０枚の画像が記録媒体１２８に記録されていた場合で、かつジャンプ枚数が１０枚に設定されていた場合を考える。この場合、現在の画像のファイル番号が００３１である状態でメイン電子ダイヤル２０２を時計回りに１クリック分回転させると、ファイル番号が００４１である画像が表示される。逆にメイン電子ダイヤル２０２を反時計回に１クリック分回転させると、ファイル番号が００２１である画像が表示される。
【手続補正７】
【補正対象書類名】明細書
【補正対象項目名】００５５
【補正方法】変更
【補正の内容】
【００５５】
Ｓ４０７では、マイクロコンピュータ１４０は、Ｓ４０６で行われたサブ電子ダイヤル２０３の操作の回転方向に応じたシングル画像送りを行う。すなわち、サブ電子ダイヤル２０３が反時計回りに１クリック分回転されると、現在の画像より画像送り順（例えば、ファイル番号順）で１枚前の画像を、メモリコントローラ１２７を介して、記録媒体１２８から読み込んで液晶表示部１２５に表示する。サブ電子ダイヤル２０３が時計回りに１クリック分回転されると、現在の画像より画像送り順で１枚後の画像を、メモリコントローラ１２７を介して、記録媒体１２８から読み込んで液晶表示部１２５に表示する。
【手続補正８】
【補正対象書類名】明細書
【補正対象項目名】００６１
【補正方法】変更
【補正の内容】
【００６１】
図５において、Ｓ５０１では、マイクロコンピュータ１４０は、２画像表示モードでの初期画面を液晶表示部１２５に表示する。初期画面では、液晶表示部１２５の左側領域３１０に、２画像表示モードに遷移するまえの現在の画像を、選択枠３０１を付して表示する。また、右側領域３２０に、現在の画像からみて、画像送りをする画像の並び順（例えば、ファイル番号順）での次の画像を表示する。この結果、図３（ａ）のように表示される（２画像表示モードに遷移する前の現在の画像が、ファイル番号０００１の画像であった場合）。なお、２画像表示モードで表示された２つの画像のうち、選択枠３０１が付されている方の画像を選択画像と称するものとする。
【手続補正９】
【補正対象書類名】明細書
【補正対象項目名】００７４
【補正方法】変更
【補正の内容】
【００７４】
Ｓ５１４では、マイクロコンピュータ１４０は、選択画像が拡大表示中であるか否かを判定する。拡大表示中であると判定するとＳ５１５に進み、メイン電子ダイヤル２０２の操作量に応じて選択画像の拡大表示での拡大倍率を変更する。拡大表示中でないと判定するとＳ５１６に進み、左側領域３１０と右側領域３２０のうち、選択画像側の領域でメイン電子ダイヤル２０２の操作量に応じたジャンプ画像送りを行う。ジャンプ画像送りについてはＳ４０５で説明した処理と同様の処理である。なお、画像送りの前に選択画像が拡大表示されていた場合は、画像送り後の画像にも同じ拡大率と拡大位置を適用し、拡大したままの画像送りとする。また、他方の領域の画像はこの操作に応じては変更しない。
【手続補正１０】
【補正対象書類名】明細書
【補正対象項目名】００７６
【補正方法】変更
【補正の内容】
【００７６】
Ｓ５１８では、マイクロコンピュータ１４０は、左側領域３１０に表示された画像と、右側領域３２０に表示された画像が同じファイルの画像であることをユーザに識別させるための通知を行う。本実施の形態としては、この通知として、左側領域３１０に表示された画像と、右側領域３２０に表示された画像が同じファイルの画像であることを表す同一画像アイコン３０２を双方の領域に表示する。図３（ｆ）、（ｇ）は、同一画像アイコン３０２の表示例を示している。図３（ｆ）のように、左側領域３１０にも右側領域３２０にもファイル番号０００１の画像が表示された場合、同一画像アイコン３０２を図示のように双方の領域に表示する。ユーザは同一画像アイコン３０２が表示されたことで、連写画像など同一であるか識別し難い画像を確認していた場合も、現在双方の領域の画像が同一であることを容易に識別することができる。また、図３（ｆ）では画像を拡大せずに全体が表示されているので、連写画像などを確認していなければ、同一画像アイコン３０２がなくとも画像を見るだけで双方の画像が同一かを識別できるかもしれない。しかし、拡大表示している場合には画像を見るだけで同一か否かを判断するのはより困難になる。図３（ｇ）では、双方の領域で同じファイルの画像の、それぞれ別の箇所を拡大表示している。この場合、双方の領域に表示されている画像は同じファイルといえども、表示されて見えているものが異なるため、画像だけを一見して同一の画像であると識別するのは困難である。
【手続補正１１】
【補正対象書類名】明細書
【補正対象項目名】００７９
【補正方法】変更
【補正の内容】
【００７９】
Ｓ５２０では、マイクロコンピュータ１４０は、選択画像側の領域でシングル画像送りを行う。なお、画像送りの前に選択画像が拡大表示されていた場合は、画像送り後の画像にも同じ拡大率と拡大位置を適用し、拡大したままの画像送りとする。他方の領域の画像はこの操作に応じては変更しない。シングル画像送りについてはＳ４０７で説明した処理と同様である。
【手続補正１２】
【補正対象書類名】明細書
【補正対象項目名】００８８
【補正方法】変更
【補正の内容】
【００８８】
Ｓ５３３では、マイクロコンピュータ１４０は、２画像表示ボタン２０５が操作されたか否かを判定する。２画像表示ボタン２０５が操作されたと判定するとＳ５３４へ進み、そうでなければＳ５３５へ進む。
【手続補正１３】
【補正対象書類名】明細書
【補正対象項目名】００９１
【補正方法】変更
【補正の内容】
【００９１】
なお、Ｓ５１８、Ｓ５２２での、左側領域３１０に表示された画像と、右側領域３２０に表示された画像が同じファイルの画像であることをユーザに識別させるための通知は上述の例に限られるものではない。例えば、左側領域３１０に表示された画像と、右側領域３２０に表示された画像が同じファイルである場合とそうでない場合とで、選択画像を囲む選択枠の色や背景を異ならせることで通知してもよい。また、左側領域３１０に表示された画像と、右側領域３２０に表示された画像が同じファイルでない場合には選択画像のみに選択枠を付し、同じファイルである場合には双方の領域の画像に同時に選択枠を付すことで通知してもよい。さらに、警告音などを発することで通知してもよい。例えば、選択画像側の領域での画像送りの際の操作確認音として出力する音声を、他方の画像と異なる画像に画像送りされる場合と同じファイルである画像に画像送りする場合とで異ならせる。
【手続補正１４】
【補正対象書類名】明細書
【補正対象項目名】００９４
【補正方法】変更
【補正の内容】
【００９４】
また、左側領域３１０と右側領域３２０との双方に表示された画像が同じファイルであるか否かは、連写画像やブラケット撮影などのように、構図の変化が少ない複数の画像を比べている時の方が識別し難い。従って、連写画像やブラケット撮影された組画像を表示する表示モードの際にのみ、左側領域３１０と右側領域３２０との双方に表示された画像が同一であることの通知を行い、他の表示モードの際には特に通知は行わない構成としてもよい。
【手続補正１５】
【補正対象書類名】明細書
【補正対象項目名】００９５
【補正方法】変更
【補正の内容】
【００９５】
同一時消去ダイアログの際の表示形態も上述の例に限られるものではなく、双方の画像が同じファイルである場合とそうでない場合とで、選択画像を囲む選択枠の色や背景を異ならせることで通知してもよい。また、左側領域３１０に表示された画像と、右側領域３２０に表示された画像が同じファイルでない場合には選択画像のみに選択枠を付し、同じファイルである場合には双方の領域の画像に同時に選択枠を付すことで通知してもよい。例えば図８（ｃ）のような双方の領域の画像を同時に囲む枠８０４を表示すれば、消去を実行すると双方の領域の画像とも消去されることを直感的に理解させやすい。さらに、警告音などを発することで通知してもよい。
【手続補正１６】
【補正対象書類名】図面
【補正対象項目名】図１
【補正方法】変更
【補正の内容】
【図１】
2013020028.tif 000001